(57)【要約】      （修正有）【課題】光起電力ＰＶアレイ用の縁部遮断スカートを提供する。【解決手段】光起電力アレイ用のスカート２０３は、スクリーン部分と、溝部分と、隣接する光起電力アレイのスカートおよび光起電力モジュール１０にスカートを結合するよう適合された継手とを有する。さらに、傾斜ルーバを備え、ＰＶアレイのＰＶモジュールの下の区域を部分的に覆い隠すように適合される。また、屋根に近くスクリーン部分の底部を装着するように適合される。【選択図】図３Ａ−Ｅ
2015145612.tif 000002
【特許請求の範囲】
【請求項１】
スクリーン部分と、溝部分と、別個の継手とを備えるＰＶアレイスカートであって、前記継手が、隣接するＰＶアレイスカートおよびＰＶモジュールに、前記ＰＶアレイスカートを結合するように適合される、
ＰＶアレイスカート。
【請求項２】
前記ＰＶアレイスカートが、実質的に共線である、請求項１に記載のＰＶアレイスカート。
【請求項３】
前記継手が、単一のデバイスである、請求項１に記載のＰＶアレイスカート。
【請求項４】
前記スカートの底部が、支持表面の実質的に近くにある、請求項１に記載のＰＶアレイスカート。
【請求項５】
前記スクリーン部分が、炎の拡散をブロックするように適合される、請求項１に記載のＰＶアレイスカート。
【請求項６】
前記スクリーン部分が、前記ＰＶアレイの前方縁部に実質的に沿って配置される、請求項１に記載のＰＶアレイスカート。
【請求項７】
前記ＰＶアレイの周囲に沿った前記ＰＶモジュールの実質的にすべての縁部が、スクリーン部分および補足スクリーンのうちの少なくとも１つを備えるように、前記ＰＶアレイが複数のＰＶモジュールを備え、前記ＰＶアレイスカートが複数の補足スクリーンをさらに備える、請求項１に記載のＰＶアレイスカート。
【請求項８】
前記スクリーン部分が、支持表面の外形に追従するための可撓性部分をさらに備える、請求項１に記載のＰＶアレイスカート。
【請求項９】
前記スクリーン部分が、屋根瓦の曲線に追従するためのスカラップ形状の部分をさらに備える、請求項１に記載のＰＶアレイスカート。
【請求項１０】
前記継手が、前記ＰＶアレイスカートを１つに剛性結合する、請求項１に記載のＰＶアレイスカート。
【請求項１１】
前記ＰＶアレイスカートが、回転防止構成要素をさらに備える、請求項１に記載のＰＶアレイスカート。
【請求項１２】
前記スカートが、前記スクリーン部分をＰＶモジュールに取り付けるためのブラケット部分を備える、請求項１に記載のＰＶアレイスカート。
【請求項１３】
前記ブラケット部分が、前記ＰＶアレイのＰＶモジュールの外側表面にある溝に接続する、請求項１２に記載のＰＶアレイスカート。
【請求項１４】
ＰＶアレイスカートであって、
複数の穿孔を備え、前記ＰＶアレイのＰＶモジュールの実質的に下の区域を部分的に覆い隠すように適合されるスクリーン部分を備え、前記複数の穿孔が、傾斜ルーバを備える、
ＰＶアレイスカート。
【請求項１５】
前記スカートが、高さ調整可能である、請求項１４に記載のＰＶアレイスカート。
【請求項１６】
前記ルーバの平面が、前記スクリーン部分の平面に対して鋭角であり、前記鋭角は、空気流を可能にし、前記ＰＶアレイの実質的に前の位置から見たときに前記スクリーン部分の後ろのオブジェクトを実質的に覆い隠すように適合される、請求項１４に記載のＰＶアレイスカート。
【請求項１７】
前記複数の穿孔の総面積が、前記スクリーン部分の表面積の１０％よりも実質的に大きい、請求項１４に記載のＰＶアレイスカート。
【請求項１８】
前記スカートの底部が、支持表面の実質的に近くにある、請求項１４に記載のＰＶアレイスカート。
【請求項１９】
前記スクリーン部分が、炎の拡散をブロックするように適合される、請求項１４に記載のＰＶアレイスカート。
【請求項２０】
前記スクリーン部分が、前記ＰＶアレイの前方縁部に実質的に沿って配置される、請求項１４に記載のＰＶアレイスカート。
【請求項２１】
前記ＰＶアレイの周囲に沿った前記ＰＶモジュールの実質的にすべての縁部が、スクリーン部分および補足スクリーンのうちの少なくとも１つを備えるように、前記ＰＶアレイが複数のＰＶモジュールを備え、前記ＰＶアレイスカートが複数の補足スクリーンをさらに備える、請求項１４に記載のＰＶアレイスカート。
【請求項２２】
前記スクリーン部分が、支持表面の外形に追従するための可撓性部分をさらに備える、請求項１４に記載のＰＶアレイスカート。
【請求項２３】
前記スクリーン部分が、屋根瓦の曲線に追従するためのスカラップ形状の部分をさらに備える、請求項１４に記載のＰＶアレイスカート。
【請求項２４】
前記ＰＶアレイスカートが、回転防止構成要素をさらに備える、請求項１４に記載のＰＶアレイスカート。
【請求項２５】
前記スカートが、前記スクリーン部分をＰＶモジュールに取り付けるためのブラケット部分を備える、請求項１４に記載のＰＶアレイスカート。
【請求項２６】
前記ブラケット部分が、前記ＰＶアレイのＰＶモジュールの外側表面にある溝に接続する、請求項２５に記載のＰＶアレイスカート。
【請求項２７】
屋根の実質的に近くにスクリーン部分の底部を装着するように適合されたスクリーン部分を備える、
ＰＶアレイ用の縁部ブロックスカート。
【請求項２８】
前記スカートが、高さ調整可能である、請求項２７に記載の縁部ブロックスカート。
【請求項２９】
前記スクリーン部分が、炎の拡散をブロックするように適合される、請求項２７に記載の縁部ブロックスカート。
【請求項３０】
前記スクリーン部分が、前記ＰＶアレイの前方縁部に実質的に沿って配置される、請求項２７に記載の縁部ブロックスカート。
【請求項３１】
前記ＰＶアレイの周囲に沿った前記ＰＶモジュールの実質的にすべての縁部が、スクリーン部分および補足スクリーンのうちの少なくとも１つを備えるように、前記ＰＶアレイが複数のＰＶモジュールを備え、前記ＰＶアレイスカートが複数の補足スクリーンをさらに備える、請求項２７に記載の縁部ブロックスカート。
【請求項３２】
前記スクリーン部分が、支持表面の外形に追従するための可撓性部分をさらに備える、請求項２７に記載の縁部ブロックスカート。
【請求項３３】
前記スクリーン部分が、屋根瓦の曲線に追従するためのスカラップ形状の部分をさらに備える、請求項２７に記載の縁部ブロックスカート。
【請求項３４】
前記縁部ブロックスカートが、回転防止構成要素をさらに備える、請求項２７に記載の縁部ブロックスカート。
【請求項３５】
前記スカートが、前記スクリーン部分をＰＶモジュールに取り付けるためのブラケット部分を備える、請求項２７に記載の縁部ブロックスカート。
【請求項３６】
前記ブラケット部分が、前記ＰＶアレイのＰＶモジュールの外側表面にある溝に接続する、請求項２７に記載の縁部ブロックスカート。
【発明の詳細な説明】
【技術分野】
【０００１】
発明者：Ｊｏｈｎ  Ｒａｙｍｏｎｄ  Ｗｅｓｔ、Ｔｙｒｕｓ  Ｈａｗｋｅｓ  Ｈｕｄｓｏｎ、Ｅｍｉｌ  Ｊｏｈａｎｓｅｎ、Ｉａｎ  Ｃａｐｓｕｔｏ、Ｃｈａｄ  Ｍｅｄｃｒｏｆｔ、Ｎａｔｅ  Ｃｏｌｅｍａｎ、およびＢｒｉａｎ  Ａｔｃｈｌｅｙ
【０００２】
相互参照  本出願は、２０１０年１２月９日付けで出願された米国仮特許出願第６１／４２１，６２６号、および２０１０年１２月９日付けで出願された米国仮特許出願第６１／４２１，６２９号の出願日の利益を主張する。上記出願はその全文が、本明細書に完全に記載したかのように参照により組み込まれる。
【背景技術】
【０００３】
当技術分野では、（屋根板、瓦、ルーフ膜などの）屋根表面のような支持表面の上にオフセット高さで光起電力（ＰＶ）アレイを設置することが一般的である。そのような装着構成は、ＰＶアレイの下にエアギャップを提供することができる。オフセット高さ距離は、ワイヤ配置のための空間、あるいは、ベント管および他の一般的な屋根障害物の上にＰＶアレイまたはＰＶモジュールを装着することができるようにするための空間を提供することができる。ハードウェアを装着するための空間、ならびに寸法公差変動、熱膨張などを可能にするための空間を可能にするためには、ＰＶアレイの頂面上のＰＶモジュールフレーム間にギャップが必要になることがある。
【０００４】
ＰＶアレイの側部に、ならびに頂面上のＰＶモジュールフレーム間にエアギャップ開口部が存在すると、（葉および小枝のような）有機残骸が入り、アレイの下で捕捉される結果になり、それは、防火上の障害につながり得る。また、齧歯動物／鳥類／昆虫および他の有害生物がこれらの開口部を通って入り、巣の建設によって可燃材料を蓄積する、ならびに、アレイの下に収容された電線を損傷する可能性を生じる原因となる。残骸にかかわらず、建築物火災による炎は、アレイの下のエアギャップに入り、閉じ込められていない場合には典型的には散逸する高温の空気、ガス、蒸気または散逸するプラズマを捕捉することにより、下に配置された屋根材料の防火性等級を損なうことがある。さらに、いくつかの設備では、ＰＶアレイは、ＰＶアレイの下のギャップにより、ＰＶアレイの下が観察者から見えるように設置されることがあり、それにより、ＰＶアレイの全体的な審美外観が損なわれる。
【０００５】
したがって、燃え上った炎がエアギャップに入らないように妨げることに加えて、動物の侵入しないようにし、有機残骸がアレイの下に蓄積しないようするための、かつ、屋根上の炎の拡散を阻止または制限するための方法、装置およびシステムを有することが望ましいことがある。また、ＰＶアレイの下の好ましくない視野角をブロックするための、または場合によっては、ＰＶアレイのＰＶモジュールまたは一部分の下の区域を覆い隠すための装置、方法およびシステムを有することが望ましいこともある。いくつかの試みは、視覚をブロックするために、ＰＶアレイの縁部にスカートエレメントを固定しようとするいくつかの試みが行われてきた。しかしながら、これらのシステムは、いくつかの欠点に悩まされている。
【０００６】
従来のスカートシステムは、十分な構造的支持を提供するようには思われない。たとえば、一般的に、従来のシステムはスカートを、４つのＰＶモジュールの角部が交わる領域に配置され得る継手にではなく、ＰＶアレイの装着脚部またはレールに接続する。したがって、急勾配の屋根上では、ＰＶアレイの重量と、雪または設備技術者などの他の荷重とを、特に４角領域において適切に支持することができない。
【０００７】
また、従来のスカートシステムは、十分な気流によってＰＶアレイの温度を適切に下げることができるようにしながら、炎の拡散をブロックすること、またはＰＶモジュールまたはアレイの下の区域が見ないようにすることによって視覚的美観を提供することを達成する手段を提供するようには思われない。ＰＶモジュール温度が上昇すると、総電力出力が低減されることは、当技術分野においてよく知られている。したがって、ＰＶアレイの下の気流を可能にするための何らかの手段を提供することが望ましい。
【０００８】
従来のスカートシステムは、一般にはＰＶアレイの下の十分な量のギャップの完全には覆わないので、動物および残骸を適切にブロックするスカートをそのようなシステムが提供するようには思われない。たとえば、屋根表面はまれに平坦ではなく、しかも従来のシステムは剛性で平坦なスクリーンのみを提供するので、その結果、スクリーンと屋根表面との間にギャップが生まれる。また、従来のシステムは、スクリーンが屋根表面に近づくことができるような、または屋根表面と接触することができるような高さ調整力を提供しない。
【０００９】
従来のスカートシステムは多数の部品を必要とし、それにより、ＰＶアレイに関する設置コストが増加する。
【００１０】
また、従来のスカートシステムは、スカートとＰＶアレイとの間に接地接合を生成するための単純な方法、装置またはシステムを提供しないように思われる。従来のシステムのすべてのケースではなくても大部分において、世界の多くの領域における建築規制によって要求されるように、別個の接地ワイヤは、適切にスカートを接地させることが必要である。スカートまで別個の接地ワイヤを延ばすことに関連する部品および労働にはかなりのコストがかかる。さらに、多くのオンルーフ接地システムは、接地ワイヤの設備後の追加に関する問題を悪化させる腐食に起因する分野の問題に悩まされている。
【００１１】
関連技術の上記例とそれに関する限定は、例示的なものであり、排他的なものではない。本明細書を読み、各図を検討すると、関連技術の他の限定が当業者には明らかになるであろう。
【発明の概要】
【００１２】
以下の実施形態およびその態様は、典型的かつ例示的なものであるように意図されるが範囲を制限するものではないシステム、装置、ツールおよび方法とともに説明し、例示する。様々な実施形態では、上記で説明した問題のうちの１つまたは複数を低減し、またはなくしながら、他の実施形態は、他の利点または改善を対象とする。
【００１３】
光起電力アレイのためのスカートの１つの実施形態は、スクリーン部分と、溝部分と、隣接する光起電力アレイのスカートおよび光起電力モジュールにスカートを結合するように適合された別個の継手とを提供する。別の実施形態は、傾斜ルーバを備えるスクリーン部分を提供し、実質的にＰＶアレイのＰＶモジュールの下の区域を部分的に覆い隠すように適合される。さらなる実施形態は、屋根に実質的に近くスクリーン部分の底部を装着するように適合されたスクリーン部分を備えるＰＶアレイ用の縁部遮断スカートを提供する。以下の実施形態およびその態様は、典型的かつ例示的なものであるように意図されるが範囲を制限するものではないシステム、装置、ツールおよび方法とともに説明し、例示する。様々な実施形態では、上記で説明した問題のうちの１つまたは複数を低減し、またはなくしながら、他の実施形態は、他の利点または改善を対象とする。
【図面の簡単な説明】
【００１４】
（本文に記載なし）
【発明を実施するための形態】
【００１５】
各図を参照し、以下の発明を実施するための形態を検討することによって、上記の典型的な態様および実施形態に加えて、さらなる態様および実施形態が明らかになるであろう。
【００１６】
本明細書では開示する実施形態および図面は、限定的なものではなく例示的なものとみなされるべきである。
【００１７】
様々な用語は、それらの通常の意味または当技術分野における特定の意味を有することができるが、理解しやすいように、本明細書の以下の箇所でも、またその他の場所でも、本明細書の理解のために意図される最小範囲に関する非限定的な説明を提供するものである。用語は、同じ一般的な意味を保持しつつ、単数形または複数または任意の時制であり得る。
【００１８】
「隣接する」とは、「隣にある」または「隣り合う」または「近傍にある」、あるいは「共通の頂点」または「共通の側部」を有することを指す。したがって、隣接するＰＶパネル同士は、図１、図１Ｂおよび図２に示すように、１つの側部が、他方のＰＶパネルの１つの側部に近接しており（２〜３インチで当接する）、それに対向しているＰＶパネルを含む。常にではないが、隣接するパネル同士の角部は整列していることがあり、したがって、４つの隣接するパネルは、図１Ａおよび図２のポイントＣならびにその説明に例示するように、１つの角部が他の３つの角部にほぼ、または実際に接触している。
【００１９】
「傾斜ルーバ」とは、アイテムの表面の規定された開口部を指し、（１つまたは複数の）ルーバを有する表面を空気および／または光が通過できるようにするための固定式または可動式の通常は水平なスラットまたはブレードを有する。また、（１つまたは複数の）ルーバは、（１つまたは複数の）スラットによって形成された狭い開口部を指すことも、あるいは（１つまたは複数の）スラット自体を指すこともある。したがって、傾斜ルーバとは、表面を有するアイテムを指し、その表面には、図１３Ａ、図１３Ｂおよび図１８のフィーチャ７９ならびにその説明に例示するように、（１つまたは複数の）ルーバがアイテムの表面に対して１〜１７９度の角度で傾くように、１つまたは複数のルーバが配置または形成される。
【００２０】
「回転防止構成要素」とは、それは、中心または軸の周りを回転する動作またはプロセスを減速する、最小限に抑える、抑制する、または止めるデバイス、アイテム、フィーチャ、アイテムのまたは一部分を指す。そのような回転防止は、完全なものでも、何らかの最小回転量に抑えるものでもよく、通常、初期位置から５度以下の回転に抑える。そのような回転防止構成要素は、図３Ｃおよび図７の構成要素１１ならびにその説明として例示される。
【００２１】
「ＰＶモジュールまたはＰＶアレイの下」とは、屋根などの支持表面の近くに配置されたときに、ＰＶモジュールの下にまたはその下方の延びる区域、あるいはＰＶモジュールの直ぐ下のまたはその下方の区域を指す。ＰＶモジュールが、本質的に平坦な表面の上方に固定または保持された場合、下の区域は、通常ＰＶモジュールの直ぐ上方から投射する（太陽のなどの）光源によって平坦面に落とされた影の区域を含む。ＰＶモジュールの下の区域のそのような例は、図１Ａ、図１Ｂおよび図２の区域Ｕならびにその説明に例示される。
【００２２】
「ブロックする」とは、通常、障害物を途中に配置することによって、進行を妨害するまたは妨げること、あるいは、フローまたは通過を横断しづらくするか、または横断できなくすることを指す。一例として、炎の拡散をブロックすることは、（通常、ＰＶアレイと屋根などの支持表面との間にある）ＰＶアレイの下などの区域において、炎、煙または高熱の拡散、伝搬または横断を制限する、最小限に抑える、低減する、抑止する、妨害する、または妨げることになるオブジェクトを含む。そのようなブロックは、図２および図３Ａ〜図３Ｄにスカート２０２および２０３ならびにその説明として例示されたＰＶアレイスカートである。
【００２３】
「底部」とは、最も低いまたは最も深い一部分あるいは頂部から最も遠い一部分、ならびにアイテムの下面または下側を指す。したがって、スカートの底部は、屋根などの支持表面に最も近接するまたはそれと接触するスカートの一部分となり、通常は縁部状である。スカートの１つのそのような底部は、図２の区域Ｆおよびその説明に例示される。また、ＰＶモジュールまたはＰＶアレイの底部は、支持表面に最も近接した区域、通常は表面であり、しばしば、ＰＶモジュールまたはＰＶアレイの下の区域の上側縁部を規定する。ＰＶモジュールまたはＰＶアレイの１つのそのような底部は、図３ＣのロケーションＥおよびその説明に例示される。
【００２４】
「ブラケット」とは、一方のアームが他方のアームからほぼ７０〜１１０度（しばしば約９０度）を拡張する全体的にＬ形状の、単純な本質的に剛性の構造を指す。ブラケットは、しばしば、壁またはフレームの一部分などの構造から突出した張り出し部材であり、スカートなどの垂直構成要素で荷重を支持するように設計され得る。また、ブラケットとは、別のオブジェクトを保持する、固定する、配置する、または支持するために使用することができる壁、柱、フレームなどから突出する固定具を指すこともある。スカートを支持するための１つのそのようなブラケットは、図３３のクリップ７２２およびその説明として例示される。
【００２５】
「共線の」とは、同一の本質的に真っ直ぐな線を通過するまたはその線の上にある、あるいは共通の線または同軸の線を生成する点、区域またはアイテムを指す。また、「共線の」とは、２つの交差する平面のように共通の線を共有することをまた指すこともある。共線のアイテムの一例は、その最長寸法（長さ）を、図７および図８の区域Ｌおよびその説明に例示されるように、たとえば、ＰＶモジュールまたはＰＶアレイの縁部に沿って、本質的に線形に端から端まで延ばした共線スカートである。
【００２６】
「補足スクリーン」とは、通常、使用したスクリーンを越える視界を部分的にまたは十分にブロックするために、あるいは、はしばしば空気（または他の流体）がスクリーンを通って流れることができるようにしながらいくらかの剛性を提供するために使用される１つまたは複数の追加のスクリーンを指す（スクリーンは、従来のシーブ型または他の（１つまたは複数の）スクリーン、（１つまたは複数の）孔、（１つまたは複数の）穿孔、（１つまたは複数の）ルーバなどの形態とすることができ、本明細書では全般的に「スクリーン」、「（複数の）スクリーン」または「（１つまたは複数の）スクリーン」と呼ばれる）。（１つまたは複数の）補足スクリーンは、第１のスクリーンとともに補足を形成するまたは補足として機能し、たとえば、主スクリーンまたは第１のスクリーンによって提供されるブロックを向上させる、強調するまたは完成するための効果を有することができる。（１つまたは複数の）補足スクリーンの１つの例は、最も大きい表面または主表面上に通常配置された主スクリーンまたは第１のスクリーンではなく、スカートの副表面またはより狭い表面上に配置された（１つまたは複数の）追加のスクリーンである。スカートのいくつかのスクリーンは、図１４Ｂの側部スクリーン２１４Ａおよびその説明に例示される。スカートのいくつかの補足スクリーンは、図６２のスクリーン３７０およびその説明に例示される。
【００２７】
「外形」とは、形状、オブジェクト、本体、塊または表面の形状または形態を表す、規定する、または境界を規定する輪郭を指す。一例として、支持表面外形は、その上側表面のトポグラフィである外形を有する。平坦な屋根である支持表面の場合、外形は、本質的には、屋根の傾斜に垂直な方向の線であるが、（円筒形の長手方向セグメント状に成形された粘土瓦のような）瓦屋根の場合、外形は、本質的に、屋根の傾斜に垂直な方向の（半円弧がわずかに異なる）正弦曲線状に成形される。屋根などの支持表面の外形を追従するいくつかのスクリーンは、図６４Ａおよび図６４Ｂのスカート２６４ならびにその説明に例示される。
【００２８】
「結合する」とは、２つ以上のオブジェクトまたはアイテムを互いに接合することを、リンクすること、接続することまたは対合させることを指す。たとえば、２つのスカートは、図７の区域Ｋおよびその説明に例示されるように、１つに結合されている。
【００２９】
「継手」とは、２つのものを１つに接合する、または接続するオブジェクト、アイテム、装置、組合せ、フィーチャ、リンクなどを指す。たとえば、２つのスカートは、図７のインターロック６およびその説明に例示されるような結合デバイスによって１つに結合することができる。
【００３０】
「可撓性部分」とは、デバイスの一部、セグメントまたは一部分、あるいは、たとえば、柔らかい、柔軟性をもつ、しなやかなまたは弾性の材料を用いて作成された容易に曲げるまたは変形させることが可能なフィーチャを指す。たとえば、屋根などの支持表面の外形に追従するために使用される可撓性部分を有するいくつかのスカートは、図４０のスクリーン７４０およびその説明に例示される。
【００３１】
「屋根瓦の曲線に追従する」とは、屋根瓦の上側表面または外形に一致すること、それと対合すること、またはそれを模倣することを指す。たとえば、瓦屋根が起伏しているかまたは湾曲している屋根（たとえば、円筒形の長手方向セグメント状に成形された粘土瓦）のような支持表面の場合、各瓦の外形は半円であり、屋根の外形は、本質的に、屋根の傾斜に垂直な方向の（半円弧がわずかに異なる）正弦曲線状に成形される。したがって、屋根上に通常装着されるときに複数の屋根瓦の曲線に追従するために、曲線追従は、本質的にスカラップ形状の形態を有するか、またはそのような形態に変形される。例示的な瓦屋根の外形に追従するいくつかのスクリーンは、図６４Ｂのスカート２６４およびその説明に例示される。
【００３２】
「前方縁部」とは、アイテム、装置、組合せ、フィーチャ、区域または表面の最も前方の先端の先端部、外側限界、またはオブジェクト、アイテム、装置、組合せ、フィーチャ、区域または表面の中心部分から最も遠くに突出する部分を指す。たとえば、ＰＶアレイの前方縁部は、通常、ＰＶアレイの最も下り勾配のＰＶモジュールの場合、（勾配のついた、または傾斜した支持表面の場合）ＰＶモジュールフレームの最も下り勾配の末端を含む。ＰＶアレイのいくつかの前方縁部は、図１ＡのロケーションＦおよびその説明に例示される。
【００３３】
「溝」とは、しばしば、動きを誘導するまたは対応する隆起または舌状部を受容するために使用される長くて狭い切欠部、轍、くぼみ、チャネル、轍、ガター、スロットまたは凹みを指す。ＰＶモジュールのフレーム壁中のいくつかの溝は、図２３の区域Ｇおよびその説明に例示される。
【００３４】
「高さ調整可能な」とは、アイテムまたは構成要素が、地面または支持表面のような認識されたレベルよりも上で距離または高度の適切な関係、所望な関係、または好適な関係になるように変化させるまたは適応させることを指す。いくつかの高さ調整可能なデバイスは、図５５の区域Ｈおよびその説明に例示される。
【００３５】
「覆い隠す」とは、区域またはオブジェクトを、隠すまたは見えないように保つ、あるいは、オブジェクトまたは区域が微かに分かるようにする、はっきり見えないようにする、またはぼんやりとさせることを指す。ＰＶモジュールまたはＰＶアレイの下の区域を覆い隠すいくつかのスクリーンは、図１２の区域Ｏおよびその説明に例示される。
【００３６】
「穿孔」とは、壁またはスクリーンを貫通して通常壁または区域に／から達する孔、ピアシング、貫通孔またはアパーチャを指す。穿孔は、行列または他のパターンなど、一定のパターンとすることができる。スカートのいくつかの穿孔は、図１８のフィーチャ９およびその説明に例示される。
【００３７】
「周囲」とは、閉じた幾何学的形状の境界、外周または回路を形成する本質的に連続する線、すなわち、区域の外側限界を指す。ＰＶアレイの例示的な周囲は、図１５の区域Ｐおよびその説明に例示される。
【００３８】
「ＰＶアレイ」とは、しばしば行列のパターンで１つに接続された複数の光起電力モジュールを指し、モジュールの側部は、他のモジュールに近接または接触して配置される。例示的なＰＶアレイは、図１Ａのアレイ１００およびその説明に例示される。
【００３９】
「ＰＶモジュール」とは、（ソーラーパネルまたは光起電力パネルと呼ばれることがある）光起電力モジュールを指し、光起電力セルとしても知られる太陽電池のパッケージングされ相互接続されたアセンブリである。市販の工業用アプリケーションおよび宅内アプリケーションのための電気を供給するために、通常、複数のＰＶモジュールを使用してＰＶアレイと呼ばれるより大きい光起電力システムを形成する。例示的なＰＶモジュールは、図１Ａのモジュール１０およびその説明に例示される。
【００４０】
「剛性結合する」とは、曲がりづらい、形状を変えづらい非可撓性な方法で２つ以上のオブジェクトまたはアイテムを１つに接合する、リンクする、接続するかまたは対合させること指す。たとえば、２つのスカートは、図２０のピン９７３およびその説明に例示されるように、１つに剛性結合することができる。
【００４１】
「屋根」とは、建築物の上側カバーまたは頂部を覆うまたは形成する構造または保護カバーを指す。屋根の上側表面は、しばしば、ＰＶモジュールまたはＰＶアレイを装着する、接続する、または他の場合には取り付けるための支持表面として使用される。たとえば、いくつかの屋根は、図１Ａの屋根５およびその説明に例示される。
【００４２】
「屋根瓦」とは、屋根を覆うために一般に使用される、セラミック、石、金属、または場合によってはガラスのような摩耗しづらい材料で製造された部品を指す。平坦な形状、および円筒形の長手方向セグメント状に成形された形状を含めて、多くの形状の屋根瓦が存在する。いくつかの屋根瓦は、図６４Ａの瓦３０５およびその説明に例示される。
【００４３】
「スカラップ形状の」とは、波状パターンを特徴とする、または波状パターンに成形された縁部または境界を有する、たとえば、半円の形態のオブジェクトを指し、すなわち、一連の曲線または湾曲した突出部から構成される装飾用の縁部も指す。いくつかのスカラップ形状の縁部をもつスカートは、図６４Ａのスカート２６４およびその説明に例示される。
【００４４】
「スクリーン」とは、区域を分割するために使用される固定式または可動式のパーティション、カバー、カーテンまたはシールドを指す。スクリーンは、従来のシーブ型または他の（１つまたは複数の）スクリーン、（１つまたは複数の）孔、（１つまたは複数の）穿孔、（１つまたは複数の）ルーバなどの形態とすることができ（本明細書では全般的に「スクリーン」、「（複数の）スクリーン」または「（１つまたは複数の）スクリーン」と呼ばれる）、一般的には、使用したスクリーン越しの視野を部分的にまたは十分にブロックするために、あるいは、しばしば空気（または他の流体）がスクリーンを通って流れることができるようにしながらいくらかの剛性を提供するために使用することができる。スカートのいくつかのスクリーンは、図１４Ｂのスクリーン２１４Ｓおよびその説明において例示される。スカートのいくつかの補足スクリーンは、図６２のスクリーン３７０およびその説明に例示される。
【００４５】
「スクリーン部分」とは、形成されるアイテムの一部または全体を指し、スクリーンを実体化する。スカートのいくつかのスクリーン部分は、図１４Ｂのスクリーン２１４Ｓおよびその説明に例示される。
【００４６】
「別個の」とは、個々のユニット、異なるユニット、または個別のユニットとしてオブジェクトを形成する、またはオブジェクトがそのようなユニットとして見えることを指し、すなわち、他のオブジェクトには接合されていない、あるいは他のオブジェクトと物理的に接触していない。ＰＶアレイスカートとともに使用することができる別個の継手の一例は、図５４のスカートインサート２５２およびその説明に例示される。
【００４７】
「スカート」とは、ＰＶアレイを支持表面に装着したときＰＶアレイの下の底部区域を隠すかまたはブロックするためにＰＶモジュールの縁部に固定することができる縁取り、モールディングまたはカバーを指す。いくつかのスカートは、図２のスカート２０２およびその説明に例示される。
【００４８】
「支持表面」とは、ＰＶアレイを形成するためにＰＶモジュールを固定するための基部を提供することができる屋根、テーブルまたは地面のような構造を指す。いくつかの支持表面は、図１Ａの屋根５およびその説明に例示される。
【００４９】
「炎の拡散」とは、着火したガス、蒸気またはプラズマの火または高温体の表面積、長さまたは幅を拡張させるように、区域全体に拡張する、分布する、または分散することを指す。
【００５０】
次に図面、特に、図１Ａ、図１Ｂおよび図１Ｃを参照すると、Ｓで標示された支持表面（たとえば、屋根５）に装着された光起電力（ＰＶ）モジュール（たとえば、モジュール１０）から構成されたＰＶアレイ（たとえば、アレイ１００）が示されている。このアレイ１００内のモジュール１０は、アルミニウムまたは当技術分野で知られている他の材料で作製することができる適切な支持構造（たとえば、フレーム２）によって支持された光起電力積層体（たとえば、積層体１）を含んでおり、支持構造は、溝、フレーム２の外側表面４に位置する溝３を含んでいてもよい。先行文献に記載されているように、溝３により、インターロック６などの継手を使用した屋根５または他の支持構造ＳへのＰＶモジュールのインターロックおよび直接的な取付けが可能になり、溝３は、溝３に接続する（１つまたは複数の）脚部７などによる屋根５への取付けのための構造もまた含んでいることがある。他の実施形態では、ＰＶモジュール１０は、溝３が１つもないＰＶフレーム２を備える。図１Ｂは、図１Ａの最も左の円の中の区域の詳細図であり、脚部７のより近接した図が示されている。図１Ｃは、図１Ａの最も右の円の中の区域の詳細図であり、インターロック６のより近接した図が示されている。
【００５１】
図２に、アレイ１００の底縁部または前方縁部に位置するスカート、たとえば、Ｆで標示された、アレイ１００の前方縁部に設置されたアレイスカート２０２を示す。アレイスカート２０２により、限定的ではなく、向上した美観、改善された防火性、および改善された構造的性能を含む多くの利益を提供することができる。アレイスカート２０２は、ＰＶアレイ、たとえば、アレイ１００の下に配置されたエアギャップおよび装着ハードウェアを部分的にまたは完全に覆い隠すことができる。
【００５２】
図３Ａ、図３Ｂ、図３Ｃおよび図３Ｄに、内部表面、たとえば、表面５００上に溝３００が配置されたエクストルージョン２０３など、スカートの一実施形態のプロファイル図を示す。スカート設計のようなプロファイルは、基部部分、たとえば、基部９を有することができる装着脚部、たとえば、脚部７の上に配置されるように図示された継手、たとえば、継手８へのスカート２０３のピボット嵌合接続を可能にすることができる。また、継手８は、フレーム２が外側表面４に溝３を含んでいるモジュール１０のためのピボット嵌合接続を可能にすることができる。構成要素と溝３および３００と間のピボット嵌合接続は、継手８の凸型部分８Ａおよび８Ｂを凹型溝に提示することによって達成することができる。次いで、溝は、凸型部分８Ａおよび８Ｂに少なくとも部分的に着座することができ、次いで、溝の角度が凸型部分８Ａおよび８Ｂの軸と実質的に整列するまで、溝を下向きに回転させることができる。ピボット嵌合接続を完成させるためには、ＰＶモジュール１０またはスカート２０３を、単に、ＰＶアレイにおけるその最終角度配向まで下向きに枢動させる。この最終回転は、溝のベアリング部分を、上向きでまたは下向きの運動に逆らってＰＶモジュールまたはスカートを抑制するために継手８の凸型部分に対して担持させる。継手は、依然として、公差変動を考慮するために、ＰＶアレイの平面におけるＰＶモジュール位置の調整を可能にすることができる。
【００５３】
継手８上のスカート２０３が上向きに回転する畏れをさらに制限または阻止するために、回転防止構成要素、たとえば、構成要素１１は、たとえば、継手８の頂面中に形成されたアパーチャ１２に挿入することによって、継手８に取り付けることができる。アパーチャ１２中に適切に設置されると、構成要素１１は、スカート２０３の上向き回転を防止または制限するように抑止する。上向き回転は、スカート２０３の垂直表面５００と直接接触させて回転防止構成要素１１の表面１３を配置することによって抑止される。スカート２０３は、モジュール１０を設置する前またはモジュール１０を設置した後に継手８に接続することができ、アパーチャ１２から回転防止構成要素１１を取り外すことによって、したがって、スカートの取外しに必要な上向き回転を可能にすることによって、アレイ１００からスカート２０３を容易に取り外すことができる。
【００５４】
図４Ａおよび図４Ｂに、継手８を含むインターロック６を介して１つにリンクされた２つのスカート２０４の内側または屋根上側の斜視図を示す。インターロック６は、任意選択で、本明細書に示すように、装着脚部７の基部部分９をさらに備えることができる。いくつかの実施形態では、基部部分９がない。スカート２０の回転運動を阻止することができるくさび嵌合を生じるために、回転防止構成要素１１をアパーチャ１３に挿入することができる。
【００５５】
図５〜図８に、スカート２０５の一実施形態についての一連の設置ステップを示す。図５は、端から端まで置かれた２つのスカート２０５を示し、これらのスカートは、インターロック６と直ぐにインターロックできるようになっている。スカートが垂下しないように、インターロック６とスカート１０との間にスペーサ板６Ａを置くことができる。ツール３００を利用して、スカート２０にインターロック６を接続するためにインターロック６の並列継手３１０を回転させることができる。図６に示すように、スカート２０は、脚部７に接続することができ、ＰＶアレイ１００の周囲に沿った追加のスカート２０５にインターロックすることができる。図７に示すように、スカート２０５を脚部７にさらに固定するために、脚部７中に回転防止構成要素１１を挿入することができる。図８に、ＰＶモジュール１０と、スカート２０５と、インターロック６と、脚部７とを備える完成したＰＶアレイ１００を示す。この図を見るとわかるように、インターロック６は、２つのＰＶモジュール１０と２つのスカート２０５とを１つに結合することができる。この構成は、装着脚部におけるスカートからアレイへの接続点を単に例として提供するスカートシステムよりも良好な構造的性能を提供することができる。そのようなシステムは、２つのＰＶモジュール１０と２つのスカート２０５とが交わる４角点における重荷重下では垂下することがある。いくつかの実施形態では、インターロック６は、モジュール１０とスカート２０５との間の接地接合接続をさらに提供することができる。他の実施形態では、インターロック６は、モジュール１０とスカート２０５との間の接地接合接続、ならびに１つのスカート２０５から隣接するスカート２０５への接地接続を提供することができる。
【００５６】
美観およびその他の向上を提供することに加えて、アレイ１００の最初に設置された行に位置するモジュールの位置特定および整列を制御するためのジグまたはツールとして使用することができることが、開示したアレイスカートの別の利点であり得る。ジグとしてスカート２０９を使用するための設置方法を、図９〜図１２に示す。整列を目的としたスカート２０９の使用は、個別のロケーションおよび反復可能なロケーションにモジュールを設置するためのテンプレートを提供することができる。１つの実施形態では、スカート２０９の長さは、ＰＶモジュール１０の長さと同じ長さ＋隣接するモジュール１０間に小さいギャップを生成するためのわずかな量の長さである。図９に示すように、最初に、脚部７を屋根上に設置することができる。次いで、スカート２０９を上述したように１つにインターロックし、（図１０に示すように）脚部７に接続することができる。次いで、モジュールをどこに置くかを判断するガイドとしてスカート２０９間の継ぎ目３３０を使用して、ＰＶモジュール１０をスカート２０９に取り付けることができる。ＰＶモジュール１０の後続の行を、第１の行の上に通常の様式で設置することができる。
【００５７】
スカート２０９（および本明細書に開示される他のスカート実施形態）は、このようにして設置されたとき、ＰＶモジュール１０を設置するより前に屋根上のＰＶアレイ１００のレイアウトを判断する単純な方法を提供することができることが当業者には認識されよう。また、ＰＶアレイ１００は、様々な数のモジュール１０の行および列を含み得、各モジュール１０の長い寸法の配向は、屋根の上下に、または屋根に沿って横方向に延び得ることが明らかになるであろう。また、非矩形のアレイ１００も、周囲の様々な部分に沿ったスカート２０９を有することができる。
【００５８】
この設置方法を可能にすることによって、アレイ１００の第１の行にモジュール１０を設置するために必要とされる時間と人員数の両方を実質的に低減することができる。ジグとしてスカート２０９を使用することのさらなる利点として、設置者が屋上または他の表面の縁部から安全な距離にあるロケーションからモジュール１０の第１の行をアレイ１００に設置する方法を可能にすることが挙げられる。はしごおよび／または足場に設置者がのる必要なしに、屋上または他の表面の縁部全体にわたってモジュールを装着することができることが追加の利点である。この利益は、前述したようなピボット嵌合、ドロップインタイプの装着によってモジュール１０を１つに結合することに加えて、スカート２０９を１つに結合することができるインターロック６を提供した結果として生じ得る。第１の行モジュールの設置が簡略化されたことと、設置者の安全性が向上したこととを組み合わせた結果、設置時間全体を短縮し、したがって、システム設置の総コストを低減させることができる。
【００５９】
また、スカート２０９（および本明細書に開示される他のスカート実施形態）とＰＶモジュールフレーム溝特フィーチャ３との間の接地接合経路を提供する接地フィーチャを備える継手を備えるインターロック６を使用することによって、（電気的接地と目的として）アレイスカートをＰＶモジュールフレーム２に自動的に接合してもよい。この場合の接合は、スカート２０９へのインターロック６の機械的接続は材料中の接地経路を自動的に切断するので自動的であり、場合によっては、デバイスに別個の接地ワイヤに延ばす必要がなくなる。したがって、自動的な接地フィーチャであるスカート２０９は、システム設置の総時間ならびに材料コストをさらに低減することができる。
【００６０】
図１３Ａに示されるアレイは、アレイのすべての４つの側部に設置されたアレイスカート２１３をさらに備えることを除いて、図１に示すアレイと同じである。図１３Ｂは、図１３Ａの円の中の区域の詳細図である。アレイ１００内のモジュール１０の電力出力を向上させることを可能にするために、スカート２１３は、アレイの下からの熱の散逸を可能にするためのルーバ７９を備えることができる。これらのルーバ７９は、共通のスタンピングまたは他の低コストの製造方法によってスカート２１３に追加することができる。また、図１３Ａおよび図１３Ｂには、有機残骸、齧歯動物、燃えかすなどが入らないようにすることができるスナップ式のモジュールギャップスクリーン７１２が開示されている。以下にさらに開示するように、このスクリーンは、モジュールギャップスクリーン７１２を所定の位置に固定するために、隣接するモジュールフレーム上に配置されたフレーム溝３とインターフェースする凸型フィーチャまたはタブを含むモジュールギャップスプリングクリップを使用して設置することができる。
【００６１】
図１４Ａに、前方側部にスカート２１４が装着され、アレイの残りの側部にスクリーン２１４Ｓが装着されたＰＶアレイ１００を示す。図１４Ｂは、図１４Ａの円の中の区域の詳細図である。側部スクリーン２１４Ｓは、ファスナー、（図１４Ｂの詳細図に示され、以下にさらに開示される）スプリングクリップ、くさび、カムデバイス、または幾何学的に適合性のある凸型フィーチャを含んでいる他の構成要素を使用して、フレーム溝３に装着することができる。他の実施形態では、側部スクリーン２１４Ｓは、フレーム２の側部または頂部に装着される。側部スクリーン２１４Ｓは、図示のように穿孔されたスクリーン部分またはルーバを備えても、あるいは、さまざまにサイズ決定され離間した孔を備えてもよい。
【００６２】
図１５に、前方側部にスカート２１５が装着され、アレイの反対側の屋根表面５に防火壁７１４が直接設置されたＰＶアレイ１００を示す。当業者には、防火壁７１４は、他の表面タイプにも装着できることが認識されよう。これらの防火壁７１４は、ファスナー、接着剤などを使用して屋根表面５に固定することができ、アレイ１００から最適な距離に配置して、下のエアギャップに炎が入らないようにすることができる。また、有機残骸および燃えかすが入らないようにするために、防火壁７１４を、モジュールギャップスクリーン７１２およびアレイ側スクリーン７１３と併せて使用してもよい。
【００６３】
図１６〜図１９に、ルーバ７９を備えるスカート２１６の一実施形態を示す。スカート２１６は、屈曲した金属から製造することができ、継手８にスプリングクリップ部分３５０を介して凸型フィーチャ８Ａまたは８Ｂをスナップ嵌合することができる。図１６のプロファイル図に示すように、スカート２１６およびルーバフィーチャ７９の形状は、炎がアレイの下のエアギャップに入らないようにしながら、スカートの外側表面７１１に接触して入ってきた裸火がスカートおよびモジュール１０のアレイ１００の上を進まないようになっている。炎によって生じた気流ダイナミクスは、ルーバから外に空気を引き出す負圧を生じることがあり、それにより、炎がアレイ１００の下に拡散することがさらにより困難になる。また、アクセス可能なエアギャップを実質的に低減することによって、スカート２１６は効果的に、有機残骸がアレイ１００の下に蓄積しないようにすることができる。脚部７の実施形態は、垂直高さ調整を可能にし、ＰＶモジュール１０に直接接続することができ、したがって、屋根５など表面の上のスカート２１６の高さの調整が可能なり、それにより、確実に、残骸が下にあるエアギャップに入らないようにするために、スカート２１６の底部の近傍を表面に対して最適に配置できるようになる。スカート２１６の表面７１５と外側フレーム表面４との間に提供されたギャップは、溝装着ワイヤクリップ、デバイス装着ブラケット、および他のアイテムを設置するために十分な余地を使用可能にするためにサイズ決定することができる。
【００６４】
図２０〜図２１に示すように、いくつかの実施形態では、スカート２２１が、２つのスカート２２１を１つに剛性結合するためのピン９７３をさらに備えることが企図される。ピン９７３は、ダウエルピン、ねじファスナー、圧入ピンまたはスプライス、および２つのスカート２２１を剛性結合するための他のデバイスとすることができる。図２１に、スカート２２１が、意図的にアレイ１００の頂部面よりも上まで高くされた頂面２２１Ａをさらに備え、それにより、どのように、スカート２２１上を移動する空気がスカート２２１とＰＶモジュールフレーム２との間に配置されたギャップにおいて上昇気流を生じるベンチュリ効果を引き起こすかを示す。この誘発された上昇気流は、アレイ１００の下からの熱除去を効果的に向上させることができ、スカート、バリヤ壁または他の形態のブロックによって可能になる防火上の利点を依然として提供しながら、ルーバまたは他の換気手段に対するニーズを潜在的に低減するまたはなくすことができる。
【００６５】
図２２〜図２４に、モジュールフレーム２の外側表面４上に配置された溝３に直接取り付けることができる低コストのシングルピーススカート７１６の一実施形態を示す。スカート７１６の凸型フィーチャ７１７は、幾何学的にフレーム溝３と適合し、凸型フィーチャ７１７のプロファイル形状を変形した結果として溝３の内側表面に印加されるばね力を生じるスプリングクリップタイプ接続によって迅速に設置することができる。
【００６６】
図２５〜図３９に、フレーム２の長さに沿って適切な間隔距離で離間したフレーム溝係合クリップの様々な実施形態を使用することによってフレーム溝３にアレイスカートのさらなる実施形態を取り付ける代替的な方法を示す。
【００６７】
図２５〜図２９に、モジュールフレーム２に沿って適切な間隔距離でフレーム溝３に挿入することができる溝適合スプリングクリップ７１８を示す。次いで、タブ７２０Ａおよび７２０Ｂをスロットフィーチャ７２１Ａおよび７２１Ｂに挿入することによって、低コストで製造が容易なスカート２２５をスプリングクリップ７１８に設置することができる。
【００６８】
図３０〜図３３に、隆起した凸型フィーチャ７２３を含むことができるフレーム係合クリップ７２２を示し、凸型フィーチャは、挿入されたとき、したがって、所定の位置にクリップを固定するばね誘起クランプ力が生じたときに、フレーム溝３を弾性的に変形することができる。クリップ７２２上に配置された丸形端部フィーチャ７２４により、スカート２３０のばねセクション２３０Ａを弾性的に変形することによって、クリップ７２２を設置する前に、または設置した後に、適合するスカート挿入セクション２３０を取り付けることが可能になる。
【００６９】
図３４〜図３９に、回転可能な溝取付けクリップ７２７の凸型係合フィーチャ７２７Ａを図示のような近似角度でフレーム溝３に横方向に挿入することができる、フレーム溝適合クリップ７２７の追加の実施形態を示す。次いで、クリップは、フレームに沿って所望のロケーションで溝内に配置されると、凹型溝３とともに配置されたスロット３Ａと凸型フィーチャ７２７Ａを係合させるために、モジュール１０の上部平面と実質的に直交するまで回転させることができる。次いで、クリップ７２７の凸型フィーチャの上を向いた部分７２７Ｂは、装着スロット２３４Ａを使用して適合するスカートセクション２３４を取り付けるため使用することができる。
【００７０】
図４０〜図４３に、モジュール１０またはアレイ１００の側部にスクリーン７４０を装着するための追加のフレーム溝適合スプリングクリップ７３２を示す。スプリングクリップアーム部分７３３は、スプリングクリップがフレーム長２に沿って溝３の適切なロケーションに設置されると、スクリーンセクション７４０を固定するために使用することができる。代替的には、スクリーンセクション７４０を、設置より前にスプリングクリップアーム部分７３３に固定し、事前構成されたアセンブリとしてフレーム溝３に装着することができる。
【００７１】
図４４〜図４７に、それぞれ、モジュール１０の角部および側部において、フレーム溝３に挿入することができるフレーム係合クリップ７３６および７４０を示す。角部７３６と側部７４０の両方において、フレーム係合クリップを使用して、側部スクリーン７４４またはキャプチャフィーチャ７３８および７３９を使用するスカートの様々な実施形態を設置することができる。
【００７２】
図４８〜図５１に、モジュールギャップばねクリップ７３１の一実施形態を示し、モジュールギャップばねクリップを使用して、隣接するモジュールフレーム間のギャップで有機材料、齧歯動物、燃えかすなどが入らないように保護するために頂部スクリーン７１２を設置することができる。ばねタブ７３２は、フレーム溝３に挿入され、フレーム溝３の上側スロット３Ａと正係合するフック型の先端７３３を含む。設置中のタブの弾性変形によって有効化されたばね力は、雪、氷または風など自然によって生じる力に逆らってスクリーンを固定することを補助することができる。ばねクリップ設計の追加の実施形態は、モジュールギャップに設備中に過剰な挿入を防止し、また、雪、氷および風に起因して生じるダウンフォースに抵抗する際にさらに役立ち得る、クリップの頂端部に成形されたフィーチャを含むことができる。
【００７３】
図５２〜図５５に、モジュール１０を整列させ、迅速な接地を可能にするためのエクストルージョンスパンジグ８００を示す。エクストルージョンスパンジグ８００は、アレイの前に低コストのスカートセクション２５２を設置することができるようにするフィーチャ７３４を含むことができる。エクストルージョンスパンジグ８００は、脚部７の結合部分８上に配置された幾何学的に適合する凸型フィーチャ８Ａまたは８Ｂ上に設置することができる溝３０１を含むことができる。
【００７４】
図５６〜図５７に、高さ調整可能な装着脚部７が所定のロケーションに設置され、エクストルージョンスパンジグ８００が装着脚部７上に設置された屋上表面５を示す。
【００７５】
図５８〜図５９に、エクストルージョンスパンジグ８００と整列する装着脚部７上に設置されたモジュール１０の第１の行と、スカートセクション２５８がエクストルージョンスパンジグ８００に取り付けられた設置済みアレイ１００とを示す。
【００７６】
図６０〜図６３に、ルーバ７９がスカート２６０の頂部部分２６０Ａに沿って配置されたスカート実施形態２６０を示す。共通のファスナーを使用して、別個の可撓性のスクリーン材料３７０をスカートの底部に取り付けることができる。
【００７７】
諸実施形態では、上記で開示したスカートエレメントおよびスクリーンエレメントは、屋根上の表面変形形態に適合する可撓性材料で構築することができ、したがって、有効な障壁を提供する。
【００７８】
図６４Ａに、湾曲した瓦屋根３０５の形状にスカラップ形状の下側部分が適合するスカート実施形態２６４を示す。図６４Ｂは、図６４Ａの円の中の区域の詳細図である。
【００７９】
図６５に、回転防止構成要素１１のくさび嵌合が、雪、氷または風から生じた力に起因する重荷重によって生じる下向きのモジュール偏向によって生じる回転に起因して、インターロック６がモジュールフレーム溝３の中から係合解除しないように防ぐことができる方法を開示する。回転防止構成要素１１の表面１３を強制的にモジュールフレーム１５の表面と直接接触させることによって、もう一度、この係合解除を防止することができる。
【００８０】
図６６に、様々なタイプの電気ボックス５００を溝３に装着するために使用することができるアクセサリー構成要素アセンブリ６００を示す。また、図６６に示すように、設置された後にアセンブリの回転運動を防止するために、アクセサリー構成要素アセンブリ６００内に配置されたアパーチャ４１２に回転防止構成要素１１を挿入することができる。
【００８１】
回転防止構成要素１１の使用を通じて、新規の光起電力モジュール装着システムの構成要素、ツールおよびアクセサリーの回転移動および平行移動を防止することにより、様々な溝装着構成要素について、設備中または標準的なＯ＆Ｍ中にそれらが偶発的に外れないようにすることによって安全性を向上させ、コスト削減を進めることができるようになる。さらに、回転防止構成要素１の使用を使用する結果、風によって引き起こされた振動を低減し、モジュールの雪荷重能力を増加させ、構成要素が偶発的に外れたり破損したりすることを防止することによって、様々なフレーム溝装着製品および光起電力モジュールの有効寿命を延ばすことができる。
【００８２】
回転防止構成要素１１は、プレス嵌め作用、歯とバーブとの接続、ねじ山、他の典型的な機械的接続を介して、または、単に重力によって、孔またはスロット内の保持することができる。一態様では、回転防止構成要素は、抵抗する回転力に挿入の方向が対抗し得るので新規である。たとえば、図３に示したようなスカート２０は、取り外すためには反時計回りに回転させなければならず、それにより、回転防止構成要素１１に対してほぼ水平方向の力が与えられる。しかも、回転防止構成要素１１は、矢印で示すように概ね垂直方向に挿入される。したがって、反時計回りの回転力は、回転防止構成要素１１を押し戻しづらく、それにより、回転防止構成要素は、手または軽量のツールによる容易な設置を可能にする保持の方法を含むことが可能になる。
【００８３】
複数の例示的な態様および実施形態について上述してきたが、当業者には、ある特定の変更、置換、追加およびそのサブコンビネーションが認識されるであろう。したがって、すべてのそのような修正、置換、追加、およびサブコンビネーションを含むように解釈すべき、以下の添付の特許請求の範囲および以下に導入される特許請求の範囲は、それらの真の趣旨および範囲内となるものである。
【図１Ａ−Ｃ】
2015145612.tif 000003
【図２】
2015145612.tif 000004
【図３Ａ−Ｅ】
2015145612.tif 000005
【図４Ａ−Ｂ】
2015145612.tif 000006
【図５】
2015145612.tif 000007
【図６】
2015145612.tif 000008
【図７】
2015145612.tif 000009
【図８Ａ−Ｂ】
2015145612.tif 000010
【図９】
2015145612.tif 000011
【図１０】
2015145612.tif 000012
【図１１】
2015145612.tif 000013
【図１２】
2015145612.tif 000014
【図１３Ａ−Ｂ】
2015145612.tif 000015
【図１４Ａ−Ｂ】
2015145612.tif 000016
【図１５】
2015145612.tif 000017
【図１６】
2015145612.tif 000018
【図１７】
2015145612.tif 000019
【図１８】
2015145612.tif 000020
【図１９】
2015145612.tif 000021
【図２０】
2015145612.tif 000022
【図２１】
2015145612.tif 000023
【図２２Ａ−Ｂ】
2015145612.tif 000024
【図２３】
2015145612.tif 000025
【図２４】
2015145612.tif 000026
【図２５−２８】
2015145612.tif 000027
【図２６】
2015145612.tif 000028
【図２７】
2015145612.tif 000029
【図２９】
2015145612.tif 000030
【図３０Ａ−Ｂ】
2015145612.tif 000031
【図３１】
2015145612.tif 000032
【図３２】
2015145612.tif 000033
【図３３】
2015145612.tif 000034
【図３４Ａ−Ｂ】
2015145612.tif 000035
【図３５】
2015145612.tif 000036
【図３６】
2015145612.tif 000037
【図３７】
2015145612.tif 000038
【図３８】
2015145612.tif 000039
【図３９】
2015145612.tif 000040
【図４０】
2015145612.tif 000041
【図４１】
2015145612.tif 000042
【図４２】
2015145612.tif 000043
【図４３】
2015145612.tif 000044
【図４４Ａ−Ｂ】
2015145612.tif 000045
【図４５】
2015145612.tif 000046
【図４６】
2015145612.tif 000047
【図４７】
2015145612.tif 000048
【図４８】
2015145612.tif 000049
【図４９】
2015145612.tif 000050
【図５０】
2015145612.tif 000051
【図５１】
2015145612.tif 000052
【図５２】
2015145612.tif 000053
【図５３】
2015145612.tif 000054
【図５４】
2015145612.tif 000055
【図５５】
2015145612.tif 000056
【図５６】
2015145612.tif 000057
【図５７】
2015145612.tif 000058
【図５８】
2015145612.tif 000059
【図５９】
2015145612.tif 000060
【図６０】
2015145612.tif 000061
【図６１】
2015145612.tif 000062
【図６２】
2015145612.tif 000063
【図６３】
2015145612.tif 000064
【図６４Ａ−Ｂ】
2015145612.tif 000065
【図６５】
2015145612.tif 000066
【図６６】
2015145612.tif 000067
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
（ａ）光起電力モジュールと、
（ｂ）アレイスカートと、
（ｃ）前記光起電力モジュールおよび前記アレイスカートを一つにつなぎ合わせるレベリングフットと、を備え、
前記レベリングフットは、
（ｉ）基部と、
（ｉｉ）前記基部から上向き方向に延在するネジと、
（ｉｉｉ）前記ネジ上に装着された継手と、を備え、前記継手は、反対方向に面する二つの舌状部を有し、第１舌状部は前記光起電力モジュール上のフレーム内にピボット嵌合し、第２舌状部は前記アレイスカート上のフレーム内にピボット嵌合する、光起電力アセンブリ。
【請求項２】
前記二つの舌状部が異なる長さを有し、かつ前記舌状部のそれぞれがその先端部に上向き方向に突出する隆起を有する、請求項１に記載の光起電力アセンブリ。
【請求項３】
短い方の前記舌状部上の前記上向き方向に突出する隆起が、長い方の前記舌状部上の前記上向きに方向に突出する隆起よりも高い、請求項２に記載の光起電力アセンブリ。
【請求項４】
前記継手がその上面上に平坦部を有し、前記平坦部は前記二つの舌状部間に配置される、請求項１乃至３のいずれか一項に記載の光起電力アセンブリ。
【請求項５】
前記基部が、その中を通る取り付けスロットを有する、請求項１乃至４のいずれか一項に記載の光起電力アセンブリ。
【請求項６】
前記舌状部のそれぞれが、挿入角度で前記フレーム中の側溝内に係合するよう寸法決めされており、その後前記側溝内における最終的な係合角度まで下向きに回転される、請求項１乃至５のいずれか一項に記載の光起電力アセンブリ。
【請求項７】
前記舌状部のそれぞれが、角度のついた底縁を有する、請求項１乃至６のいずれか一項に記載の光起電力アセンブリ。
【請求項８】
前記基部の上方の前記継手の高さが、前記ネジに対して前記継手を回転させることにより調整可能である、請求項１乃至７のいずれか一項に記載の光起電力アセンブリ。
【請求項９】
（ａ）基部と、
（ｂ）前記基部から上向き方向に延在するネジと、
（ｃ）前記ネジ上に装着された継手と、を備え、前記継手は、互いに反対方向に面する舌状部を有し、前記基部の上方の前記継手の高さは、前記ネジに対して前記継手を回転させることにより調整可能である、光起電力アレイ用のレベリングフット。
【請求項１０】
二つの前記舌状部が、異なる長さを有する、請求項９に記載のレベリングフット。
【請求項１１】
前記舌状部のそれぞれが、その先端部に上向き方向に突出する隆起を有する、請求項１０に記載のレベリングフット。
【請求項１２】
短い方の前記舌状部上の前記上向き方向に突出する隆起が、長い方の前記舌状部上の前記上向きに方向に突出する隆起よりも高い、請求項１１に記載のレベリングフット。
【請求項１３】
前記継手がその上面上に平坦部を有し、前記平坦部は二つの前記舌状部間に配置される、請求項９乃至１２のいずれか一項に記載のレベリングフット。
【請求項１４】
前記基部が、その中を通る取り付けスロットを有する、請求項９乃至１３のいずれか一項に記載のレベリングフット。
【請求項１５】
少なくとも一つの前記舌状部が、光起電力モジュールフレーム中の側溝内に収容されるよう寸法決めされている、請求項９乃至１４のいずれか一項に記載のレベリングフット。
【請求項１６】
少なくとも一つの前記舌状部が、挿入角度で前記側溝内に係合するよう寸法決めされており、その後前記側溝内における最終的な係合角度まで下向きに回転される、請求項９乃至１５のいずれか一項に記載のレベリングフット。
【請求項１７】
前記舌状部のそれぞれが、角度のついた底縁を有する、請求項９乃至１６のいずれか一項に記載のレベリングフット。
【手続補正書】
【提出日】平成27年4月22日(2015.4.22)
【手続補正１】
【補正対象書類名】明細書
【補正対象項目名】００１４
【補正方法】変更
【補正の内容】
【００１４】
【図１Ａ−Ｃ】一実施形態に係るＰＶモジュールを示す図
【図２】一実施形態に係るＰＶモジュールを示す図
【図３Ａ−Ｅ】一実施形態に係るスカートを示す図
【図４Ａ−Ｂ】一実施形態に係るスカートの内側又は屋根上側の斜視図
【図５】一実施形態に係るスカートの設置ステップを示す図
【図６】一実施形態に係るスカートの設置ステップを示す図
【図７】一実施形態に係るスカートの設置ステップを示す図
【図８Ａ−Ｂ】一実施形態に係るスカートの設置ステップを示す図
【図９】一実施形態に係るスカートをジグとして使用するための設置方法を示す図
【図１０】一実施形態に係るスカートをジグとして使用するための設置方法を示す図
【図１１】一実施形態に係るスカートをジグとして使用するための設置方法を示す図
【図１２】一実施形態に係るスカートをジグとして使用するための設置方法を示す図
【図１３Ａ−Ｂ】一実施形態に係るＰＶモジュールを示す図
【図１４Ａ−Ｂ】一実施形態に係るＰＶモジュールを示す図
【図１５】一実施形態に係るＰＶモジュールを示す図
【図１６】ルーバを備えるスカートの一実施形態を示す図
【図１７】ルーバを備えるスカートの一実施形態を示す図
【図１８】ルーバを備えるスカートの一実施形態を示す図
【図１９】ルーバを備えるスカートの一実施形態を示す図
【図２０】ピンを備えるスカートの一実施形態を示す図
【図２１】ピンを備えるスカートの一実施形態を示す図
【図２２Ａ−Ｂ】シングルピーススカートの一実施形態を示す図
【図２３】シングルピーススカートの一実施形態を示す図
【図２４】シングルピーススカートの一実施形態を示す図
【図２５】一実施形態に係るアレイスカートを取り付ける代替的な方法を示す図
【図２６】一実施形態に係るアレイスカートを取り付ける代替的な方法を示す図
【図２７】一実施形態に係るアレイスカートを取り付ける代替的な方法を示す図
【図２８】一実施形態に係るアレイスカートを取り付ける代替的な方法を示す図
【図２９】一実施形態に係るアレイスカートを取り付ける代替的な方法を示す図
【図３０Ａ−Ｂ】一実施形態に係るアレイスカートを取り付ける代替的な方法を示す図
【図３１】一実施形態に係るアレイスカートを取り付ける代替的な方法を示す図
【図３２】一実施形態に係るアレイスカートを取り付ける代替的な方法を示す図
【図３３】一実施形態に係るアレイスカートを取り付ける代替的な方法を示す図
【図３４Ａ−Ｂ】一実施形態に係るアレイスカートを取り付ける代替的な方法を示す図
【図３５】一実施形態に係るアレイスカートを取り付ける代替的な方法を示す図
【図３６】一実施形態に係るアレイスカートを取り付ける代替的な方法を示す図
【図３７】一実施形態に係るアレイスカートを取り付ける代替的な方法を示す図
【図３８】一実施形態に係るアレイスカートを取り付ける代替的な方法を示す図
【図３９】一実施形態に係るアレイスカートを取り付ける代替的な方法を示す図
【図４０】一実施形態に係るスピリングクリップを示す図
【図４１】一実施形態に係るスピリングクリップを示す図
【図４２】一実施形態に係るスピリングクリップを示す図
【図４３】一実施形態に係るスピリングクリップを示す図
【図４４Ａ−Ｂ】一実施形態に係るフレーム係合クリップを示す図
【図４５】一実施形態に係るフレーム係合クリップを示す図
【図４６】一実施形態に係るフレーム係合クリップを示す図
【図４７】一実施形態に係るフレーム係合クリップを示す図
【図４８】一実施形態に係る頂部スクーンを示す図
【図４９】一実施形態に係る頂部スクーンを示す図
【図５０】一実施形態に係る頂部スクーンを示す図
【図５１】一実施形態に係る頂部スクーンを示す図
【図５２】一実施形態に係るエクストルージョンスパンジグを示す図
【図５３】一実施形態に係るエクストルージョンスパンジグを示す図
【図５４】一実施形態に係るエクストルージョンスパンジグを示す図
【図５５】一実施形態に係るエクストルージョンスパンジグを示す図
【図５６】一実施形態に係る屋上表面を示す図
【図５７】一実施形態に係る屋上表面を示す図
【図５８】一実施形態に係るモジュールの第１の行と設置済アレイとを示す図
【図５９】一実施形態に係るモジュールの第１の行と設置済アレイとを示す図
【図６０】一実施形態に係るスカートを示す図
【図６１】一実施形態に係るスカートを示す図
【図６２】一実施形態に係るスカートを示す図
【図６３】一実施形態に係るスカートを示す図
【図６４Ａ−Ｂ】一実施形態に係るスカートを示す図
【図６５】一実施形態に係るインターロックがモジュールフレーム溝の中から係合解除しないように防ぐことが出来る方法を示す図
【図６６】一実施形態にかかるアクセサリー構成アセンブリを示す図
【手続補正２】
【補正対象書類名】図面
【補正対象項目名】全図
【補正方法】変更
【補正の内容】
【図１Ａ−Ｃ】
2015145612.tif 000068
【図２】
2015145612.tif 000069
【図３Ａ−Ｅ】
2015145612.tif 000070
【図４Ａ−Ｂ】
2015145612.tif 000071
【図５】
2015145612.tif 000072
【図６】
2015145612.tif 000073
【図７】
2015145612.tif 000074
【図８Ａ−Ｂ】
2015145612.tif 000075
【図９】
2015145612.tif 000076
【図１０】
2015145612.tif 000077
【図１１】
2015145612.tif 000078
【図１２】
2015145612.tif 000079
【図１３Ａ−Ｂ】
2015145612.tif 000080
【図１４Ａ−Ｂ】
2015145612.tif 000081
【図１５】
2015145612.tif 000082
【図１６】
2015145612.tif 000083
【図１７】
2015145612.tif 000084
【図１８】
2015145612.tif 000085
【図１９】
2015145612.tif 000086
【図２０】
2015145612.tif 000087
【図２１】
2015145612.tif 000088
【図２２Ａ−Ｂ】
2015145612.tif 000089
【図２３】
2015145612.tif 000090
【図２４】
2015145612.tif 000091
【図２５】
2015145612.tif 000092
【図２６】
2015145612.tif 000093
【図２７】
2015145612.tif 000094
【図２８】
2015145612.tif 000095
【図２９】
2015145612.tif 000096
【図３０Ａ−Ｂ】
2015145612.tif 000097
【図３１】
2015145612.tif 000098
【図３２】
2015145612.tif 000099
【図３３】
2015145612.tif 000100
【図３４Ａ−Ｂ】
2015145612.tif 000101
【図３５】
2015145612.tif 000102
【図３６】
2015145612.tif 000103
【図３７】
2015145612.tif 000104
【図３８】
2015145612.tif 000105
【図３９】
2015145612.tif 000106
【図４０】
2015145612.tif 000107
【図４１】
2015145612.tif 000108
【図４２】
2015145612.tif 000109
【図４３】
2015145612.tif 000110
【図４４Ａ−Ｂ】
2015145612.tif 000111
【図４５】
2015145612.tif 000112
【図４６】
2015145612.tif 000113
【図４７】
2015145612.tif 000114
【図４８】
2015145612.tif 000115
【図４９】
2015145612.tif 000116
【図５０】
2015145612.tif 000117
【図５１】
2015145612.tif 000118
【図５２】
2015145612.tif 000119
【図５３】
2015145612.tif 000120
【図５４】
2015145612.tif 000121
【図５５】
2015145612.tif 000122
【図５６】
2015145612.tif 000123
【図５７】
2015145612.tif 000124
【図５８】
2015145612.tif 000125
【図５９】
2015145612.tif 000126
【図６０】
2015145612.tif 000127
【図６１】
2015145612.tif 000128
【図６２】
2015145612.tif 000129
【図６３】
2015145612.tif 000130
【図６４Ａ−Ｂ】
2015145612.tif 000131
【図６５】
2015145612.tif 000132
【図６６】
2015145612.tif 000133
【外国語明細書】
2015145612000001.pdf